(57)【要約】【課題】吸収性物品を装着する着用者の快適性を確保する。【解決手段】吸収性物品１は、肌面側の第一領域１１と第一領域１１よりも非肌面側の第二領域１２とを有し、吸水性樹脂を含有する吸収体１０と、吸収体１０に対して肌面側に積層され、肌面側の第一層２１と第一層２１よりも非肌面側の第二層２２とを有する表面シート２と、を備える。また、表面シート２は、厚み方向の圧縮回復率が所定の圧縮回復率以上であり、第一層２１のほうが第二層２２よりも親水性が低い。さらに、吸収体１０は、第一領域１１のほうが第二領域１２よりも吸水性樹脂の含有率が大きく、第一領域１１における吸水性樹脂の含有率が所定の含有率に設定されている。【選択図】図３
2019103589.tif 000002
【特許請求の範囲】
【請求項１】
肌面側の第一領域と前記第一領域よりも非肌面側の第二領域とを有し、吸水性樹脂を含有する吸収体と、
前記吸収体に対して肌面側に積層され、肌面側の第一層と前記第一層よりも非肌面側の第二層とを有する表面シートと、を備え、
前記表面シートは、厚み方向の圧縮回復率が所定の圧縮回復率以上であり、前記第一層のほうが前記第二層よりも親水性が低く、
前記吸収体は、前記第一領域のほうが前記第二領域よりも前記吸水性樹脂の含有率が大きく、前記第一領域における前記吸水性樹脂の含有率が所定の含有率に設定された
吸収性物品。
【請求項２】
前記所定の含有率は、６０〜９０［％］である
請求項１に記載された吸収性物品。
【請求項３】
前記第一領域は、股下部の幅方向中央領域に設定された
請求項１または２に記載された吸収性物品。
【請求項４】
前記所定の圧縮回復率は、７０〜１００［％］である
請求項１〜３の何れか１項に記載された吸収性物品。
【請求項５】
前記表面シートは、前記第一層の親水性が５０〜９０［％］であり、前記第二層の親水性が８０〜１００［％］である
請求項１〜４の何れか１項に記載された吸収性物品。
【請求項６】
前記第一層は、繰り返し透水した後の親水性である繰り返し親水性が所定の繰り返し親水性である
請求項１〜５の何れか１項に記載された吸収性物品。
【請求項７】
前記所定の繰り返し親水性は、４０〜９０［％］である
請求項６に記載された吸収性物品。
【請求項８】
前記表面シートは、前記第二層のほうが前記第一層よりも構成繊維径が大きい
請求項１〜７の何れか１項に記載された吸収性物品。
【請求項９】
前記第二層の構成繊維径が２０〜３５［μｍ］である
請求項８に記載された吸収性物品。
【発明の詳細な説明】
【技術分野】
【０００１】
本発明は、紙おむつや尿パッドといった吸収性物品に関する。
【背景技術】
【０００２】
従来、吸収体に対して表面シートの積層された吸収性物品が知られている。吸収性物品を装着した着用者の排泄時には、尿や水様便などの排泄物の水分（以下「排泄水分」という）が表面シートを透過して吸収体に吸収される。この吸収性物品は、下記の機能１，２を満たすことにより、着用者の快適性を向上させることができる。
機能１：排泄水分を速やかに吸収すること
機能２：吸収された排泄水分の肌面側への漏出を抑えること
【０００３】
上記の機能１，２を満たす観点から、種々の吸収性物品が開発されている。
たとえば、排泄水分の吸収体への引き込み性を調節するために、表面シートにおいて肌面側の上層と非肌面側の下層とで吸水性あるいは親水性を相違させる技術が提案されている（特許文献１，２参照）。また、吸収体の保水性を高めるために、吸収体において肌面側の上部領域のほうが非肌面側の下部領域よりも含有される吸水性樹脂の含有率を高めた技術が検討されている（特許文献３）。
【先行技術文献】
【特許文献】
【０００４】
【特許文献１】特開2004-166832号公報
【特許文献２】特開2005-324010号公報
【特許文献３】特開2017-64546号公報
【発明の概要】
【発明が解決しようとする課題】
【０００５】
しかしながら、吸収体の上部領域における吸水性樹脂の含有率が過剰に高いと、この吸水性樹脂が吸水で膨潤することによって、非肌面側への排泄水分の移動が阻害（いわゆる「ゲルブロック」）されるおそれがある。このように吸収体の上部領域で厚み方向の移動が阻害された排泄水分は、表面シートに吸水性や親水性の配向をもたせたとしても、非肌面側から肌面側へ表面シートを再び透過して漏出するおそれがある。そのため、上述した表面シートに関する技術と上述した吸収体に関する技術とを単に組み合わせただけでは、排泄水分を適切に処理することができるとはいえない。よって、着用者の快適性を高めるうえで改善の余地がある。
【０００６】
本件は、上記のような課題に鑑みて創案されたものであり、着用者の快適性を確保することを目的の一つとする。
【課題を解決するための手段】
【０００７】
本発明者は、上記の課題を鋭意検討した。その結果、下記の構成Ａ，Ｂ，ＣおよびＤを組み合わせることにより、排泄水分の吸収性とその保持性との双方を両立することができ、これらの性能を維持することができることを見出した。
・構成Ａ：表面シートの圧縮回復率が所定の圧縮回復率以上であること
・構成Ｂ：表面シートの第一層が第二層よりも低い親水性であること
・構成Ｃ：吸収体の第一領域が第二領域よりも吸水性樹脂の含有率が大きいこと
・構成Ｄ：吸収体の第一領域に所定の含有率で吸水性樹脂が含有されること
【０００８】
具体的には、以下の吸収性物品を完成するに至った。
ここで開示する吸収性物品は、肌面側の第一領域と前記第一領域よりも非肌面側の第二領域とを有し、吸水性樹脂を含有する吸収体と、前記吸収体に対して肌面側に積層され、肌面側の第一層と前記第一層よりも非肌面側の第二層とを有する表面シートと、を備える。前記表面シートは、厚み方向の圧縮回復率が所定の圧縮回復率以上であり、前記第一層のほうが前記第二層よりも親水性が低い。さらに、前記吸収体は、前記第一領域のほうが前記第二領域よりも前記吸水性樹脂の含有率が大きく、前記第一領域における前記吸水性樹脂の含有率が所定の含有率に設定されている。
【発明の効果】
【０００９】
本件によれば、排泄水分の吸収性とその保持性との双方を両立することができ、吸収性物品を装着する着用者の快適性を確保することができる。
【図面の簡単な説明】
【００１０】
【図１】おむつ（吸収性物品）を示す平面図である。
【図２】図１の矢視Ａ−Ａ断面図である。
【図３】図２の領域Ｂの拡大図である。
【発明を実施するための形態】
【００１１】
以下、本件を実施するための形態を述べる。この実施形態はあくまでも例示に過ぎず、下記の実施形態で明示しない種々の変形や技術の適用を排除する意図はない。本実施形態の各構成は、それらの趣旨を逸脱しない範囲で種々変形して実施することができる。また、必要に応じて取捨選択することができ、適宜組み合わせることもできる。
本実施形態の吸収性物品は、着用者に装着され、着用者から排泄される尿や経血の水分を吸収し保持する衛生用品である。この吸収性物品としては、テープ型やパンツ型のおむつ（いわゆる「使い捨て紙おむつ」），尿パッド，生理用ナプキン，パンティーライナーなどが挙げられる。以下の実施形態では、吸収性物品としておむつを例示する。
【００１２】
本実施形態で説明に用いる方向については、下記のように定義する。
おむつにおいては、着用者の腹部に対向して配置される前身頃と背部に対向して配置される後身頃とを結ぶ方向を長手方向とする。これらの前身頃と後身頃との間には、着用者の股下に配置（股間に対向して配置）される股下部が位置する。また、おむつが着用者に装着された状態（以下「装着状態」と略称する）において、着用者の肌に向かう側（装着状態で内側）を肌面側とし、肌面側の反対側（装着状態で外側）を非肌面側とする。さらに、肌面側と非肌面側とを結ぶ方向を厚み方向とし、長手方向および厚み方向の何れにも直交する方向を幅方向とする。
そのほか、特に断らない限り「数値Ｘ〜数値Ｙ」なる表記は、「数値Ｘ以上であって数値Ｙ以下である」ことを意味する。
【００１３】
［１．構成］
まず、図１および図２を参照して、おむつ１の基本的な構成を説明する。
おむつ１には吸収体１０が内蔵され、この吸収体１０に対して種々のシート２，３，４，５が重ね合わせられている。
吸収体１０は、吸水性部材である。この吸収体１０には、粉砕あるいは解繊されたパルプ繊維（繊維材料）に高吸水性樹脂の混合されたマット状部材が用いられている。上記した吸収体１０に対して、肌面側にはセンターシート２（表面シート）およびサイドシート３が積層され、非肌面側にはバックシート４およびカバーシート５が積層されている。なお、吸収体１０は、ラップシート９によって被包されることが好ましい。ラップシート９には、ティッシュや液透過性の不織布などの一般的なシートが用いられる。
【００１４】
センターシート２は、水分を透過させて吸収体１０に吸収させるため、透水性をもつ。また、センターシート２は、おむつ１において最も肌面側の表面に配置される（このことから「トップシート」とも称される）。このセンターシート２は、吸収体１０よりも幅方向寸法が大きく、肌面側から吸収体１０を被覆する。
サイドシート３は、吸収体１０よりも肌面側において幅方向側方への液漏れを防ぐため、疎水性をもつ。このサイドシート３は、おむつ１において最も肌面側に配置される（このことからセンターシート２と同様に「トップシート」とも称される）。
また、バックシート４は、吸収体１０から非肌面側への液漏れを防ぐため、非透水性をもつ。
【００１５】
カバーシート５は、上記した吸収体１０およびシート２，３，４を非肌面側から被覆する。このカバーシート５は、バックシート４を補強するとともに触感（たとえば手触り）を向上させるために設けられ、おむつ１において最も非肌面側の表面に配置される。なお、カバーシート５は、単層構造に限らず、インナーカバーシートおよびアウターカバーシートを有する多層構造であってもよい。
【００１６】
そのほか、おむつ１には、装着状態における着用者への追従性を高めるため、立体ギャザー６，レッグギャザー７，ウエストギャザー８といった種々のギャザーが設けられている。これらのギャザー６，７，８では、糸ゴムや伸縮フィルムといった伸縮性部材によってサイドシート３やカバーシート５などが皺寄せられる。
つぎに、図３を参照して、おむつ１において着用者の快適性を高めるための構成を詳述する。具体的には、センターシート２および吸収体１０の構成を詳細に述べる。
【００１７】
〈センターシート〉
以下、センターシート２について、圧縮回復率および層構造のそれぞれを述べる。
――圧縮回復率――
センターシート２は、厚み方向の圧縮回復率が所定の圧縮回復率以上に設定されている。「圧縮回復率」とは、厚み方向に圧縮した後に回復する度合いを表すパラメータである。たとえば圧縮回復率が高いほど、クッション性が高い特性を有する。具体的には、下記の厚み寸法１に対する下記の厚み寸法２の百分率で「圧縮回復率」が定義される。
・厚み寸法１：圧縮されたことのないまたはほぼ圧縮されたことのないセンターシー
ト２の厚み寸法
・厚み寸法２：所定の荷重で厚み方向に圧縮されたセンターシート２の回復が完了し
たまたはほぼ完了したときの厚み寸法
【００１８】
なお、厚み寸法２に関する「所定の荷重」は、着用者が着座した際にセンターシート２に対して作用する荷重の大きさのように、センターシート２に対して印加されることが想定される大きさに設定される。
上記した圧縮回復率は、着用者からの圧力を繰り返し分散させる観点より、７０％以上であることが好ましく、８５％以上であることが更に好ましく、１００％であることが最も好ましい。
【００１９】
上記した圧縮回復率の測定装置および圧縮荷重（所定の荷重）は下記の通りである。
・測定装置：圧縮試験機（KES-G5，カトーテック社製）
・圧縮荷重：０〜５０ｇｆ／ｃｍ２
また、圧縮回復率の測定方法は、下記の手順に示す通りである。
・手順：センターシート２に対応する試験片を、測定装置を用いて、０．０２ｍｍ／
ｓｅｃの速度で、０〜５０ｇｆ／ｃｍ２の荷重を１往復かける
圧縮回復率は、下記の厚み１に対する下記の厚み２の百分率（厚み２÷厚み１×１００［％］）により求められる。
・厚み１：往路の０．５ｇｆ／ｃｍ２荷重時の厚み
・厚み２：復路の０．５ｇｆ／ｃｍ２荷重時の厚み
【００２０】
――層構造――
さらに、センターシート２は、少なくとも二層をもつ層構造をなしている。
ここでは、肌面側の上層（第一層）２１および非肌面側の下層（第二層）２２の二層構造をなすセンターシート２を例に挙げる。なお、ここでいう二層構造は、別体に形成された上層２１および下層２２が積層された構造であってもよいし、上層２１および下層２２が一体的に積層された構造であってもよい。
【００２１】
このセンターシート２では、下層２２から上層２１への水分の移動を抑える観点から、上層２１のほうが下層２２よりも親水性が低く設定されている。「親水性」とは、吸水性に関するパラメータである。たとえば親水性が高いほど、排泄水分を速やかに吸収する特性を有する。具体的には、下記の水滴数１に対する下記の水滴数２の百分率で「親水性」が定義される。
・水滴数１：センターシート２に滴下される水滴の数（複数）
・水滴数２：水滴数１のうち所定時間内に吸収される水滴の数
なお、水滴数２に関する「所定時間」は、着用者の排泄から排泄水分が吸収されるまでの時間のうち、着用者の快適性が確保されうる時間として設定される。
【００２２】
上層２１の親水性は、センターシート２に対して肌面側の排泄水分を速やかに吸収させる観点から、５０％以上であることが好ましく、６０％以上であることが更に好ましい。一方、下層２２から上層２１への水分の移動（吸収体１０への排泄水分の吸収方向とは逆方向への移動，いわゆる濡れ戻りの一形態）を抑える観点から、９０％以下であることが好ましく、８０％以下であることが更に好ましい。
【００２３】
下層２２の親水性は、上層２１の排泄水分を吸収して肌面側から非肌面側へ排泄水分を速やかに移動させる観点から、８０％以上であることが好ましく、９０％以上であることが更に好ましく、１００％であることが最も好ましい。
上記した「親水性」は、センターシート２は吸水したことが無い（未吸水）という前提で規定される。
【００２４】
さらに、上層２１および下層２２のそれぞれには、繰り返し吸水（透水）した後の親水性（繰り返し親水性）が所定の繰り返し親水性を満たすものが採用されている。以下、吸水したことが無い前提で規定される先述の親水性を「第一親水性」と称し、ここで述べる繰り返し吸水した後の親水性を「第二親水性」と称する。
【００２５】
「第一親水性」が初めて吸水したときの吸水性に関するパラメータであるのに対し、「第二親水性」は、吸水した後に再び吸水するときの吸水性に関するパラメータである。具体的には、下記の水滴数１′に対する下記の水滴数２′の百分率で「第二親水性」が定義される。
・水滴数１′：第一親水性にかかる吸水から所定経過時間後に、第一親水性にかかる
吸水箇所と同箇所に滴下される水滴の数（複数）
・水滴数２′：水滴数１′のうち所定時間内に吸収される水滴の数
【００２６】
上層２１および下層２２の各第二親水性は、センターシート２に対して肌面側の排泄水分を速やかに吸収させる観点と下層２２から上層２１への水分の移動を抑える観点との双方を両立するためには、第一親水性と同様の範囲に設定されることが好ましい。
ただし、第一親水性よりも第二親水性のほうが低下する傾向を考慮し、上層２１の第二親水性は４０〜９０［％］であることが好ましく、下層２２の第二親水性は７０〜１００［％］であることが好ましい。たとえば、第一親水性に対する第二親水性の低下が１０［％］以内に抑えられた上層２１および下層２２を採用することが好ましい。
【００２７】
上記した第一親水性の測定方法は、下記の手順Ａ，Ｂに示す通りである。
・手順Ａ：センターシート２に対応する試験片に対して位置の異なる十箇所のそれぞ
れに生理食塩水を一滴だけ滴下する
・手順Ｂ：手順Ａで滴下された水滴が２秒以内に吸収される水滴（箇所）を数える
また、第二親水性の測定方法は、下記の手順Ｃ，Ｄに示す通りである。
・手順Ｃ：手順Ｂから３分経過後に手順Ａと同じ箇所のそれぞれに生理食塩水を一
滴だけ滴下する
・手順Ｄ：手順Ｃで滴下された水滴が２秒以内に吸収される水滴（箇所）を数える
上記した手順Ａ〜Ｄでは、排泄水分に対応するサンプルとして生理食塩水を用いている。手順Ａ，Ｃによれば上記した水滴数１，１′が何れも「１０」に設定され、手順Ｂ，Ｄによれば、上記した水滴数２，２′の「所定時間」が「２秒」に設定される。
【００２８】
ここでは、各層２１，２２を構成する繊維の直径（以下「構成繊維径」と略称する）が異なるものを採用している。構成繊維径が小さくなるほど、着用者に対する肌触りが向上し、着用者の快適性に優れる傾向がある。一方、構成繊維径が大きくなるほど、繊維の剛性が高いため、センターシート２の圧縮回復率が向上する傾向がある。このことから、上層２１の構成繊維径よりも下層２２の構成繊維径のほうを大きくし、着用者の快適性を向上させつつ、センターシート２の圧縮回復率を調整している。
【００２９】
上層２１の構成繊維径は、所定の圧縮回復率を得る観点から、１０［μｍ］以上であることが好ましく、１２［μｍ］以上であることが更に好ましい。また、上層２１の構成繊維径は、着用者に対する肌触りを向上させる観点から、２２［μｍ］以下であることが好ましく、２０［μｍ］以下であることが更に好ましい。
一方、下層２２の構成繊維径は、所定の圧縮回復率を得る観点から、２０［μｍ］以上であることが好ましく、２５［μｍ］以上であることが更に好ましい。また、下層２２の構成繊維径は、所定の圧縮回復率を得るとともに、上層２１に対する下層２２の積層性を確保する観点から、３５［μｍ］以下であることが好ましく、３０［μｍ］以下であることが好ましい。
上記した構成繊維径は、センターシート２のうち上層２１，下層２２のそれぞれに対応する試験片を電子顕微鏡で撮影し、その画像から測定した各繊維の直径の５０点の平均値から算出される。
【００３０】
〈吸収体〉
つぎに、吸収体１０について、吸水性樹脂（図３ではドットで模式的に示す）の含有率を述べる。ここでは、吸水性樹脂の含有率を説明する前提として、吸収体１０を肌面側の上領域１１（第一領域）と非肌面側の下領域１２（第二領域）とに大別する。
吸収体１０における吸水性樹脂の含有率は、排泄水分を速やかに吸収する観点から、上領域１１のほうが下領域１２よりも大きく設定されている。
【００３１】
そのうえ、吸水した吸水性樹脂の膨潤によって非肌面側への排泄水分の移動が阻害されることを抑える観点から、上領域１１における吸水性樹脂の含有率が所定の含有率に抑えられている。これに関し、排泄水分の吸収性を確保する観点だけからすれば、上領域１１における吸水性樹脂の含有率を高めるほど良い。しかし、この含有率が過剰に高い場合には、ゲルブロックのような弊害を招くおそれがあることから、過剰に高い含有率を除外した所定の含有率を設定している。
【００３２】
ここでいう「含有率」は、下記の質量１に対する下記の質量２の百分率で定義される。
・質量１：吸水性樹脂の質量＋パルプの質量
・質量２：吸水性樹脂の質量
上領域１１における吸水性樹脂の含有率は、排泄水分を速やかに吸収する観点から、６０［％］以上であることが好ましく、７０［％］以上であることが更に好ましい。一方、ゲルブロックの発生を抑える観点から、９０［％］以下であることが好ましく、８０［％］以下であることが更に好ましい。
【００３３】
なお、下領域１２における吸水性樹脂の含有率は、上領域１１からの排泄水分を確実に吸収する観点から、１０［％］以上であることが好ましく、２０［％］以上であることが更に好ましい。一方、上記した機能を確保したうえで吸水性樹脂の使用量を抑える観点から、４０［％］以下であることが好ましく、３０［％］以下であることが更に好ましい。
そのほか、上述した含有率に設定される、平面視での吸収体１０における領域は、排泄箇所に対応する領域が少なくとも含まれるように設定されることが好ましい。具体的には、排泄水分を効率よく吸収して保持する観点から、おむつ１の股下部１Ｂの幅方向中央領域において、上述した含有率に設定された上領域１１や下領域１２が配置されることが好ましい。
【００３４】
［２．作用および効果］
本実施形態のおむつ１は、上述したように下記の構成Ａ，Ｂ，ＣおよびＤを備えて構成される。
・構成Ａ：センターシート２の圧縮回復率が所定の圧縮回復率以上であること
・構成Ｂ：センターシート２の上層２１が下層２２よりも低い親水性であること
・構成Ｃ：吸収体１０の上領域１１が下領域１２よりも吸水性樹脂の含有率が大きい
・構成Ｄ：吸収体１０の上領域１１に所定の含有率で吸水性樹脂が含有されること
【００３５】
そのため、下記の吸収性およびその保持性の双方を両立することができる。
・吸収性：排泄水分を速やかに吸収すること
・保持性：吸収された排泄水分の肌面側への漏出を抑えること
【００３６】
具体的に言えば、構成Ａによって、着用者からセンターシート２へ印加される圧力が分散され、吸収体１０あるいはセンターシート２に保持された排泄水分の漏出が抑えられるため、上記した保持性を得ることができる。
また、構成Ｂによって、上層２１の排泄水分が下層２２へ移動しやすくなることから上記した吸収性を得ることができ、下層２２から上層２１へ排泄水分が移動しにくくなることから上記した保持性を得ることができる。
【００３７】
さらに、構成Ｃによって、センターシート２から吸収体１０への排泄水分が速やかに吸収され、上記した吸収性を得ることができる。
そのうえ、構成Ｄによって、吸収体１０の上領域１１における吸水性樹脂の過度な膨潤が抑えられ、ゲルブロックによる排泄水分の肌面側への漏出が抑えられる。よって、上記した吸収性および保持性の双方を両立することができる。
これらの構成Ａ〜Ｄが協働することによって、上記した吸収性および保持性の双方を確実に両立することができる。
【符号の説明】
【００３８】
１    おむつ（吸収性物品）
２    センターシート（表面シート）
３    サイドシート
４    バックシート
５    カバーシート
６    立体ギャザー
７    レッグギャザー
８    ウエストギャザー
９    ラップシート
１０    吸収体
１１    上領域（第一領域）
１２    下領域（第二領域）
２１    上層（第一層）
２２    下層（第二層）
【図１】
2019103589.tif 000003
【図２】
2019103589.tif 000004
【図３】
2019103589.tif 000005